(57)【特許請求の範囲】
【請求項１】
操作ボタンの押下操作により回路基板に設けられたスイッチ装置のスイッチ部を押し込む押下スイッチ機構であって、
前記スイッチ装置に対して前記操作ボタンの押下操作方向で見た前記回路基板とは反対側で発光素子を保持する保持箇所を形成する保持部材を有し、
前記保持箇所には、前記発光素子を保持した状態で前記操作ボタンが取り付けられ、
前記保持部材は、前記保持箇所の前記回路基板に対する前記押下操作方向への変位を可能とし、
前記保持箇所は、前記操作ボタンが押下操作されると、前記スイッチ部を押し込み、
前記操作ボタンには、前記押下操作方向で前記発光素子に対向する位置に点灯窓が設けられ、
該点灯窓には、透過性を有する材料からなる透過部材が設けられ、
該透過部材には、前記押下操作方向で前記保持箇所と対向する対向面に取付凹所が設けられ、
該取付凹所は、前記保持箇所の両外壁部分を押しつつ前記押下操作方向で前記保持箇所を受け入れて保持することで、前記操作ボタンを前記保持箇所に取り付けることを特徴とする押下スイッチ機構。
【請求項２】
前記保持部材は、前記回路基板から前記発光素子へ向けて突出する第１板ばね部材と、該第１板ばね部材とは異なる位置で前記回路基板から前記発光素子へ向けて突出する第２板ばね部材と、を有し、
前記保持箇所は、前記第１板ばね部材の第１突出端部と前記第２板ばね部材の第２突出端部とにより、前記発光素子を挟みつつ前記回路基板側に前記発光素子を載せる設置面が規定されて形成されていることを特徴とする請求項１に記載の押下スイッチ機構。
【請求項３】
前記第１板ばね部材と前記第２板ばね部材とは、導電性を有する材料からなり、
前記第１板ばね部材は、前記回路基板における第１パターンに接続され、
前記第２板ばね部材は、前記回路基板においる第２パターンに接続され、
前記保持箇所では、前記第１突出端部と前記第２突出端部とが非接触状態とされるとともに、前記第１突出端部が前記発光素子の一方の端子に接続されかつ前記第２突出端部が前記発光素子の他方の端子に接続され、
前記発光素子は、前記第１板ばね部材を通じて前記第１パターンに電気的に接続されているとともに、前記第２板ばね部材を通じて前記第２パターンに電気的に接続されていることを特徴とする請求項２に記載の押下スイッチ機構。
【請求項４】
前記発光素子は、前記第１突出端部と前記第２突出端部とにより挟まれる挟み方向に直交する一対の側壁面を有し、
前記第１突出端部は、前記発光素子の一方の前記側壁面に接する第１接触部分と、該第１接触部分と前記挟み方向で間隔を置いて並列する第１並列部分と、該第１並列部分と前記第１接触部分との前記挟み方向での位置関係の弾性的な変化を可能としつつ前記第１並列部分と前記第１接触部分とを連結する第１連結部分と、を有し、
前記第２突出端部は、前記発光素子の他方の前記側壁面に接する第２接触部分と、該第２接触部分と前記挟み方向で間隔を置いて並列する第２並列部分と、該第２並列部分と前記第２接触部分との前記挟み方向での位置関係の弾性的な変化を可能としつつ前記第２並列部分と前記第２接触部分とを連結する第２連結部分と、を有することを特徴とする請求項２または請求項３に記載の押下スイッチ機構。
【請求項５】
前記両外壁部分は、前記第１並列部分と前記第２並列部分とで構成され、
前記取付凹所は、前記挟み方向で見て前記第１並列部分と前記第２並列部分とを押しつつ前記保持箇所を受け入れることを特徴とする請求項４に記載の押下スイッチ機構。
【請求項６】
前記対向面は、前記取付凹所が前記保持箇所を受け入れた状態において、該保持箇所に設けられた前記発光素子の発光面に対して、前記押下操作方向で見て前記回路基板側に存在していることを特徴とする請求項５に記載の押下スイッチ機構。
【請求項７】
前記第１板ばね部材の前記第１突出端部および前記第２板ばね部材の前記第２突出端部のいずれか一方には、前記保持箇所から前記押下操作方向で前記スイッチ部へ向けて突出する押圧突起が設けられていることを特徴とする請求項２から請求項６のいずれか１項に記載の押下スイッチ機構。
【請求項８】
前記操作ボタンと前記発光素子と前記スイッチ装置の前記スイッチ部とは、前記押下操作方向と平行な同一直線上に設けられていることを特徴とする請求項１から請求項７のいずれか１項に記載の押下スイッチ機構。
【請求項９】
請求項１から請求項８のいずれか１項に記載の押下スイッチ機構が設けられていることを特徴とする電子機器。
【請求項１０】
請求項１から請求項８のいずれか１項に記載の押下スイッチ機構が設けられていることを特徴とする撮像装置。
【発明の詳細な説明】
【技術分野】
【０００１】
本発明は、デジタルカメラ等の電子機器に用いられる押下スイッチ機構に関する。
【背景技術】
【０００２】
従来、デジタルスチルカメラやデジタルビデオカメラ（以下、「デジタルカメラ」という）等の電子機器では、例えば、操作ボタンに押し下げられる押下操作がなされると、その操作ボタンの下方に設けられたスイッチ装置（そのスイッチ部）を押し込むことにより、当該スイッチ装置から押下操作が為されたことを示す操作信号を出力する押下スイッチ機構を用いるものが知られている。この押下スイッチ機構では、操作ボタンへの操作による押下スイッチ機構すなわち電子機器の動作状態の把握や操作ボタンの位置の認識を容易とするために、発光素子で点灯箇所を設けることが考えられている（特許文献１参照）。この押下スイッチ機構では、操作ボタンの押下操作により可動接点を介して固定接点（スイッチ装置）が導通状態とされると、その操作ボタンと並列された点灯箇所（発光素子）が点灯し、操作ボタンの押し下げの解除により固定接点（スイッチ装置）が非導通状態とされると点灯箇所（発光素子）が消灯するので、切り替えにより電子機器の動作状態を容易に把握することができる。
【発明の概要】
【発明が解決しようとする課題】
【０００３】
ここで、押下スイッチ機構では、操作ボタンの側方に点灯箇所を設けるのではなく、操作ボタンに点灯箇所を設けることが望まれている。しかしながら、従来の押下スイッチ機構では、スイッチ装置と発光素子とが回路基板を介して構成される電子回路の構成部品であることから他の電子部品とともに回路基板に実装する必要があることに対し、スイッチ部が押されることで切り替えが可能とされたスイッチ装置の上方に下方への押し下げ操作が可能な操作ボタンを設けることが望ましいことから、操作ボタンの下方に発光素子を設けることが困難である。
【０００４】
本発明は、上記の事情に鑑みて為されたもので、操作ボタンの下方にスイッチ装置を設けつつ操作ボタンに点灯箇所を設けることのできる押下スイッチ機構を提供することを目的とする。
【課題を解決するための手段】
【０００５】
請求項１に記載の押下スイッチ機構は、操作ボタンの押下操作により回路基板に設けられたスイッチ装置のスイッチ部を押し込む押下スイッチ機構であって、前記スイッチ装置に対して前記操作ボタンの押下操作方向で見た前記回路基板とは反対側で発光素子を保持する保持箇所を形成する保持部材を有し、前記保持箇所には、前記発光素子を保持した状態で前記操作ボタンが取り付けられ、前記保持部材は、前記保持箇所の前記回路基板に対する前記押下操作方向への変位を可能とし、前記保持箇所は、前記操作ボタンが押下操作されると、前記スイッチ部を押し込み、前記操作ボタンには、前記押下操作方向で前記発光素子に対向する位置に点灯窓が設けられ、該点灯窓には、透過性を有する材料からなる透過部材が設けられ、該透過部材には、前記押下操作方向で前記保持箇所と対向する対向面に取付凹所が設けられ、該取付凹所は、前記保持箇所の両外壁部分を押しつつ前記押下操作方向で前記保持箇所を受け入れて保持することで、前記操作ボタンを前記保持箇所に取り付けることを特徴とする。
【発明の効果】
【０００６】
請求項１に記載の押下スイッチ機構では、操作ボタンの下方にスイッチ装置を設けつつ操作ボタンに点灯箇所を設けることができる。
【図面の簡単な説明】
【０００７】
【図１】本発明に係る撮像装置の一例としてのデジタルカメラ１０におけるレンズ鏡胴１３の状態の変化の様子を示す説明図であり、（ａ）は収納位置を示し、（ｂ）は繰出位置を示す。
【図２】デジタルカメラ１０における制御ブロックを示す説明図である。
【図３】押下スイッチ機構３０の構成を図１（ａ）のＩ−Ｉ線に沿って得られた断面で示す説明図である。
【図４】押下スイッチ機構３０の構成を説明するための模式的な斜視図であり、カバー３１を省略して示している。
【図５】押下スイッチ機構３０の構成を説明するための模式的な斜視図であり、操作ボタン３３（電源ボタン１４）を取り付ける前であってカバー３１を省略して示している。
【図６】押下スイッチ機構３０が設けられるスイッチ基板３４の構成を説明するための模式的な斜視図である。
【図７】保持箇所４６の構成を説明するために当該保持箇所４６の周辺を上側から見た様子を示す説明図である。
【図８】操作ボタン３３の構成を説明するために透過部材４８の対向面４８ｃ側から見た様子を示す斜視図である。
【図９】操作ボタン３３（電源ボタン１４）が押下操作された様子を示す図３と同様の説明図である。
【図１０】比較例としての押下スイッチ機構８０の構成を図３と同様の面で切断した模式的な斜視図で示す説明図である。
【図１１】押下スイッチ機構８０の作用と問題点とを説明するために図３と同様の断面で示す説明図であり、（ａ）は初期状態を示し、（ｂ）は押下操作された状態を示す。
【発明を実施するための形態】
【０００８】
以下に、本願発明に係る押下スイッチ機構、およびその押下スイッチ機構が設けられる撮像装置（電子機器）の実施例について図面を参照しつつ説明する。
【実施例】
【０００９】
本発明に係る押下スイッチ機構の一実施例としての押下スイッチ機構３０の構成、およびそれが設けられる撮像装置（電子機器）の一実施例としてのデジタルカメラ１０の概略的な構成を、図１から図９を用いて説明する。以下の説明では、デジタルカメラ１０を基準として、後述する撮影光学系１２の光軸（図１（ｂ）の矢印参照）方向を前後方向（被写体側が前方（Ｆ側））とし（矢印ＦＢ参照）、デジタルカメラ１０を正面視した高さ方向を上下方向とし（矢印ＵＤ参照（上側がＵ））、前後方向および上下方向を含む面に直交する方向を左右方向（デジタルカメラ１０を正面視して左手が右側方向（Ｒ側）となる）とする（矢印ＬＲ参照）。
【００１０】
まず、押下スイッチ機構３０が設けられる撮像装置の一例としてのデジタルカメラ１０を、図１および図２を用いて説明する。デジタルカメラ１０は、図１に示すように、筐体１１の前面（図１を正面視して手前側の面）側に撮影光学系１２（図１（ｂ）参照）を有するレンズ鏡胴１３が設けられている。この撮影光学系１２は、最も被写体側に配置される対物レンズ１２ａや、図示は略すが、固定レンズ、ズームレンズ、シャッタユニットおよび絞りユニット等の複数の光学部材を備える。対物レンズ１２ａを含む撮影光学系１２としての各光学部材は、レンズ鏡胴１３により撮影光学系１２の光軸方向（図１（ｂ）の矢印参照）に移動可能に保持される。そのレンズ鏡胴１３は、撮影光学系１２の光軸に沿って、所定の収納位置（図１（ａ）参照）と所定の繰出位置（撮影待機状態（図１（ｂ）参照））との間で進退移動（繰り出しおよび繰り入れ）可能とされている。レンズ鏡胴１３では、所定の収納位置（図１（ａ）参照）と所定の繰出位置（図１（ｂ）参照）とで移行することにより、撮影光学系１２（図１参照）の各光学部材（図示せず）を所定のごとく移動させる。
【００１１】
筐体１１では、上面（図１を正面視して上側の面）に、操作部としての電源ボタン１４、シャッターボタン１５、モード切替ダイアル１６が設けられている。電源ボタン１４は、デジタルカメラ１０を起動するための操作（起動操作）と、デジタルカメラ１０を停止するための操作（停止操作）と、をするために、上下方向の下方へと押し下げる操作（以下、押下操作ともいう）をするものである。本実施例では、電源ボタン１４は、本発明に係る押下スイッチ機構３０により構成されている。これについては、後に詳細に説明する。
【００１２】
シャッターボタン１５は、被写体の撮影動作を実行するために、上下方向の下方へと押し下げる押下操作をするものである。モード切替ダイアル１６は、各種のシーンモード、静止画モード、動画モード等を設定するものである。また、筐体１１では、明確な図示は略すが背面に表示部２４（その表示面）やその他の操作スイッチ１７が設けられている（図２参照）。この表示部２４は、撮像された画像データや記録媒体に記録された画像データに基づき画像を表示する。また、操作スイッチ１７は、各メニュー等の設定のための方向指示用スイッチや各種スイッチである。
【００１３】
図１（ａ）に示すデジタルカメラ１０は、電源オフ時（電源ボタン１４への停止操作が為された状態）であって、撮影光学系１２（レンズ鏡胴１３）が筐体１１（その収納部（図示せず））内の収納位置とされている。また、図１（ｂ）に示すデジタルカメラ１０は、電源オン時（電源ボタン１４への起動操作が為された状態）であって、撮影光学系１２（レンズ鏡胴１３）が筐体１１（その収納部（図示せず））から撮影光学系１２の光軸方向（撮影光軸方向）に繰り出された撮影待機位置とされている。本実施例では、デジタルカメラ１０は、後述するように電源ボタン１４に起動操作が為されると、撮影光学系１２（レンズ鏡胴１３）を筐体１１（収納部）から繰り出す要求があったものとして、撮影光学系１２（レンズ鏡胴１３）を筐体１１（その収納部）から撮影光軸ＯＡ方向に繰り出して撮影待機位置（図１（ｂ）参照）とする。また、本実施例では、デジタルカメラ１０は、後述するように電源ボタン１４に停止操作が為されると、撮影光学系１２（レンズ鏡胴１３）を筐体１１（収納部）内に繰り入れる要求があったものとして、撮影光学系１２（レンズ鏡胴１３）を筐体１１（その収納部）内に繰り入れて収納位置（図１（ａ）参照）とする。
【００１４】
このデジタルカメラ１０は、図２に示すように、制御部２１と、撮像素子２２と、レンズ鏡胴駆動ユニット２３と、表示部２４と、を有する。制御部２１は、操作部としての電源ボタン１４、シャッターボタン１５、モード切替ダイアル１６および操作スイッチ１７に為された操作に基づく駆動処理や、撮像素子２２からの信号に基づく画像データの生成処理や、レンズ鏡胴駆動ユニット２３および表示部２４の駆動等の制御を、記憶部２１ａに格納されたプログラムにより統括的に行う。
【００１５】
撮像素子２２は、ＣＣＤイメージセンサやＣＭＯＳイメージセンサ等の固体撮像素子で構成されており、撮影光学系１２を通して受光面（図示せず）上に結像された被写体像を電気信号（画像データ）に変換して出力する。その出力された電気信号（画像データ）は、制御部２１へと伝送される。
【００１６】
レンズ鏡胴駆動ユニット２３は、レンズ鏡胴１３を収納位置（図１（ａ）参照）と繰出位置（図１（ｂ）参照）とで移行させることにより、撮影光学系１２の各光学部材を各々支持する光学部材保持枠（図示せず）を移動させる。
【００１７】
デジタルカメラ１０では、制御部２１がシャッターボタン１５に１段階の押下操作が為されたこと認識すると、レンズ鏡胴駆動ユニット２３を制御してピント調節の動作を実行する。また、デジタルカメラ１０では、制御部２１がシャッターボタン１５に２段階の押下操作が為されたことを認識すると、撮影光学系１２を通して撮像素子２２（図２参照）の受光面で受光した被写体像の画像データを記録処理する。さらに、デジタルカメラ１０では、制御部２１の制御下で、記録処理した画像データに基づく画像を表示部２４に適宜表示させることができる。
【００１８】
制御部２１は、押下スイッチ機構３０から後述する起動操作信号が出力されると、電源ボタン１４に起動操作が為された旨を認識し、押下スイッチ機構３０から後述する停止操作信号が出力されると、電源ボタン１４に停止操作が為された旨を認識する。また、制御部２１は、シャッターボタン１５から第１操作信号が出力されると、シャッターボタン１５における１段階の押下操作が為された旨を認識し、シャッターボタン１５から第２操作信号が出力されると、シャッターボタン１５における２段階の押下操作が為された旨を認識する。
【００１９】
次に、本発明に係る押下スイッチ機構３０の特徴部分の構成を、図３から図９を用いて説明する。なお、図３の説明図は、図１（ａ）に示すＩ−Ｉ線で得られた断面に相当する。
【００２０】
押下スイッチ機構３０は、本実施例では、電源ボタン１４における押下操作を可能とするとともに、その押下操作による押下操作信号（起動操作信号または停止操作信号）の出力を可能とし、かつ電源ボタン１４に点灯箇所（後述する透過部材４８（上端面４８ｄ（点灯窓４７の上側開口端部）））を設けることを可能とすべく設けられている。この押下スイッチ機構３０は、図１に示すように、筐体１１の上面を構成するカバー３１に設けられた取付孔３２から、電源ボタン１４を形成する後述する操作ボタン３３を露出させている。その取付孔３２は、図３に示すように、カバー３１（筐体１１の上面）を上下方向に貫通する貫通穴として形成されている。取付孔３２は、上下方向で見ると円形状とされている。この取付孔３２は、本実施例では、カバー３１の表面（筐体１１の上面）側に、環状傾斜面３２ａが設けられている。この環状傾斜面３２ａは、取付孔３２のカバー３１の表面（筐体１１の上面）側の径寸法（開口面積）を拡げるべく、上方に向かうに連れて取付孔３２の半径方向の外側へ向けて傾斜する傾斜面が全周に渡って設けられて形成されている。押下スイッチ機構３０では、後述するように、操作ボタン３３が取付孔３２すなわちカバー３１（筐体１１の上面）に対して上下方向に移動可能に設けられる。このため、本実施例では、上下方向が、押下スイッチ機構３０における操作ボタン３３（電源ボタン１４）の押下操作方向となる。
【００２１】
その押下スイッチ機構３０は、図３から図９に示すように、その操作ボタン３３に加えて、スイッチ基板３４（その実装面３４ａ）上に、スイッチ装置３５と保持部材３６と発光素子３７とが設けられて構成されている。
【００２２】
そのスイッチ基板３４は、板状を呈し、図示は略すがコンデンサや抵抗等の電子部品が実装される回路基板である。スイッチ基板３４は、本実施例では、明確な図示は略すが筐体１１（カバー３１）に固定されて設けられている。このスイッチ基板３４では、図６に示すように、実装面３４ａ（図６を正面視して表側の面）に、スイッチ用回路パターン４１と第１発光素子用回路パターン（第１パターン）４２と第２発光素子用回路パターン（第２パターン）４３とが設けられている。そのスイッチ用回路パターン４１は、電源ボタン１４に為された押下操作をデジタルカメラ１０の制御機構（図２参照）における押下操作信号とすべく、その制御機構を構成する電子回路の一部を形成するスイッチ装置３５のための接続箇所である。スイッチ用回路パターン４１は、一方の電路部分４１ａと他方の電路部分４１ｂとを有する。その電路部分４１ａには、一方の電極箇所４１ｃが設けられるとともに、電路部分４１ｂには、他方の電極箇所４１ｄが設けられている。その電極箇所４１ｃと電極箇所４１ｄとは、上下方向で見て矩形状を呈し、スイッチ基板３４の実装面３４ａ上で所定の間隔を置いて対向している。この電極箇所４１ｃと電極箇所４１ｄとは、スイッチ装置３５（その後述する本体部３５ａ）の後述する２つの端子３５ｃ、３５ｄの位置関係に対応されて設けられている。
【００２３】
第１発光素子用回路パターン４２は、第２発光素子用回路パターン４３と協働して、発光素子３７を操作ボタン３３すなわち電源ボタン１４（図１参照）の発光箇所として機能させるべく、デジタルカメラ１０の制御機構（図２参照）を構成する電子回路の一部（発光素子３７の点灯回路）を形成する。第１発光素子用回路パターン４２は、スイッチ基板３４の実装面３４ａ上において、間隔を置きつつスイッチ用回路パターン４１の電極箇所４１ｃおよび電極箇所４１ｄ（スイッチ装置３５）を取り囲む半円環状を呈する。その第１発光素子用回路パターン４２は、スイッチ用回路パターン４１の他方の電路部分４１ｂと間隔を置いて平行に延びる第１電路部分４２ａを有する。第１発光素子用回路パターン４２は、第１電路部分４２ａとは反対側の端部が、スイッチ用回路パターン４１の一方の電路部分４１ａと間隔を置いて並列されている。
【００２４】
また、第２発光素子用回路パターン４３は、スイッチ基板３４（その実装面３４ａ）上において、第１発光素子用回路パターン４２とは反対側で、間隔を置きつつスイッチ用回路パターン４１の電極箇所４１ｃおよび電極箇所４１ｄ（スイッチ装置３５）を取り囲む半円環状を呈する。その第２発光素子用回路パターン４３は、第１発光素子用回路パターン４２の第１電路部分４２ａとは反対側で、スイッチ用回路パターン４１の他方の電路部分４１ｂと間隔を置いて平行に延びる第２電路部分４３ａを有する。第２発光素子用回路パターン４３は、第２電路部分４３ａとは反対側の端部が、第１発光素子用回路パターン４２とは反対側で、スイッチ用回路パターン４１の一方の電路部分４１ａと間隔を置いて並列されている。
【００２５】
このため、第１発光素子用回路パターン４２と第２発光素子用回路パターン４３とは、スイッチ基板３４（その実装面３４ａ）上において、互いに接触することなくスイッチ用回路パターン４１の電極箇所４１ｃおよび電極箇所４１ｄ（スイッチ装置３５）を略全周に渡り取り囲んでいる。また、第１発光素子用回路パターン４２と第２発光素子用回路パターン４３とは、第１電路部分４２ａと第２電路部分４３ａとを互いに間隔を置きつつスイッチ用回路パターン４１の他方の電路部分４１ｂを介在させて並列しているとともに、その反対側の端部が互いに間隔を置きつつスイッチ用回路パターン４１の一方の電路部分４１ａを介在させて並列している。
【００２６】
そのスイッチ基板３４では、図示は略すが実装された各電子部品により所定の電子回路を構成しており、後述するようにスイッチ装置３５（その本体部３５ａ）から操作信号が出力されると、電源ボタン１４（スイッチ装置３５）における押下操作が為されたことを示す押下操作信号（本実施例では、後述する起動操作信号および停止操作信号）を制御部２１に出力する。このスイッチ基板３４（その実装面３４ａ）上にスイッチ装置３５が実装されている。
【００２７】
そのスイッチ装置３５は、図３および図９に示すように、本体部３５ａとスイッチ部３５ｂとを有し、本体部３５ａに対してスイッチ部３５ｂを押し込まれる（図９に示す例では下側に押し下げる）ことにより、スイッチ基板３４（そこで構成される電子回路）と協働して操作信号を出力する。スイッチ装置３５は、本実施例では、本体部３５ａがスイッチ部３５ｂを押し込み可能に保持しているととものに、その押し込みが解除されると元の位置（初期位置）へと復帰させる構成とされている。このスイッチ装置３５は、本実施例では、本体部３５ａに対してスイッチ部３５ｂが初期状態（初期位置）から押し込まれた状態（押込状態（押込位置））とされると操作信号を出力し、その押込状態が解除されると初期状態（初期位置）へと復帰して操作信号の出力を止める、所謂タクタイルスイッチが用いられている。
【００２８】
その本体部３５ａは、図６に示すように、２つの端子３５ｃ、３５ｄを有する。本体部３５ａ（スイッチ装置３５）は、端子３５ｃがスイッチ用回路パターン４１の電極箇所４１ｃに電気的に接続され、かつ端子３５ｄがスイッチ用回路パターン４１の電極箇所４１ｄに電気的に接続されることにより、スイッチ基板３４（その実装面３４ａ）に実装される。スイッチ装置３５は、このように適切にスイッチ基板３４（その実装面３４ａ）に実装されると、スイッチ部３５ｂとカバー３１の取付孔３２とが上下方向（押下操作方向）で整列する位置関係とされている（図３および図９等参照）。
【００２９】
スイッチ基板３４で構成される図示を略す所定の電子回路では、スイッチ装置３５（その本体部３５ａ）から本体部３５ａに対するスイッチ部３５ｂの押し込みによる操作信号が出力されると、制御部２１に押下操作信号を出力する。その制御部２１では、デジタルカメラ１０すなわち当該デジタルカメラ１０の制御機構（図２参照）を構成する電子回路が停止状態（ＯＦＦ状態）とされている際に、スイッチ基板３４（スイッチ装置３５）から押下操作信号が入力されると、デジタルカメラ１０（その制御機構（電子回路））を起動し、その後に押下操作信号が入力されるまでの間、起動状態を維持する。このため、デジタルカメラ１０（その制御機構（電子回路））が停止状態とされている際に、スイッチ基板３４（スイッチ装置３５）から出力される押下操作信号が起動操作信号となり、後述するように電源ボタン１４の押下操作によりスイッチ部３５ｂを押込状態とすることが起動操作となる。また、制御部２１では、デジタルカメラ１０（その制御機構（電子回路））が駆動状態（ＯＮ状態）とされている際に、スイッチ基板３４（スイッチ装置３５）から押下操作信号が入力されると、デジタルカメラ１０（その制御機構（電子回路））を停止し、その後に押下操作信号が入力されるまでの間、停止状態を維持する。このため、デジタルカメラ１０（その制御機構（電子回路））が駆動状態とされている際に、スイッチ基板３４（スイッチ装置３５）から出力される押下操作信号が停止操作信号となり、後述するように電源ボタン１４の押下操作によりスイッチ部３５ｂを押込状態とすることが停止操作となる。このため、スイッチ装置３５は、デジタルカメラ１０の制御機構（図２参照）を構成する電子回路を形成する駆動状態と停止状態とを切り替えることができる。このスイッチ装置３５が実装されたスイッチ基板３４（その実装面３４ａ）上に、保持部材３６も設けられる（図５等参照）。
【００３０】
その保持部材３６は、図４および図５に示すように、スイッチ装置３５を取り囲むようにスイッチ基板３４（その実装面３４ａ）上に設けられている。この保持部材３６は、弾性変形が可能とされた材料で形成され、本実施例では、弾性変形が可能であるとともに導電性を有する金属材料で形成されている。このような金属材料は、例えば、銅やステンレス材等を用いることができる。この保持部材３６は、本実施例では、第１板ばね部材４４と第２板ばね部材４５とを有する。この第１板ばね部材４４と第２板ばね部材４５とは、互いに等しい形状とされており、スイッチ基板３４（その実装面３４ａ）上において、スイッチ装置３５（その中心位置）を中心として点対称な位置関係とされている。第１板ばね部材４４と第２板ばね部材４５とは、互いに略等しい形状であることから、以下では第１板ばね部材４４を用いて説明し、第２板ばね部材４５に関しては基本的に対応する符号を示すのみとする。
【００３１】
第１板ばね部材４４は、図５に示すように、第１取付部４４ａ（第２板ばね部材４５では第２取付部４５ａ）と、第１架渡部４４ｂ（第２板ばね部材４５では第２架渡部４５ｂ）と、第１支持部４４ｃ（第２板ばね部材４５では第２支持部４５ｃ）と、を有する。その第１取付部４４ａ（第２取付部４５ａ）は、スイッチ基板３４（その実装面３４ａ）に平行な平板状であって、スイッチ基板３４（その実装面３４ａ）上に設けられた第１発光素子用回路パターン４２（第２発光素子用回路パターン４３）上に設置することが可能な形状および大きさ寸法とされている。第１取付部４４ａ（第２取付部４５ａ）は、上下方向で見て間隔を置きつつスイッチ装置３５を取り囲む半円環状を呈する。すなわち、第１板ばね部材４４の第１取付部４４ａは、第２板ばね部材４５の第２取付部４５ａとの協働により、互いに接触することなくスイッチ装置３５を略全周に渡り取り囲むことが可能とされている。この第１取付部４４ａは、スイッチ基板３４（その実装面３４ａ）の第１発光素子用回路パターン４２に取り付けられ、第２取付部４５ａは、スイッチ基板３４（その実装面３４ａ）上に設けられた第２発光素子用回路パターン４３に取り付けられる。
【００３２】
その第１板ばね部材４４の一端に第１架渡部４４ｂ（第２板ばね部材４５では第２架渡部４５ｂ）が連続されている。その第１架渡部４４ｂは、第１板ばね部材４４の一端からスイッチ装置３５側に向けて突出する長尺の板状を呈し、その一端に対して上方に向けて屈曲されている。この第１架渡部４４ｂと第２板ばね部材４５の第２架渡部４５ｂとは、互いに近づく方向へと延びており、その突出端がスイッチ装置３５の上方で上下方向（押下操作方向）に直交する方向（後述する挟み方向）で対向する位置関係とされている。この第１架渡部４４ｂ（その突出端）と第２架渡部４５ｂ（その突出端）とが対向する方向（図３を正面視した左右方向）を、この明細書では挟み方向とし、その挟み方向において互いが対向する側を内側とする。その第１架渡部４４ｂの突出端に第１支持部４４ｃ（第２板ばね部材４５では第２支持部４５ｃ）が設けられている。
【００３３】
その第１支持部４４ｃは、図３および図７に示すように、第１並列部分４４ｄ（第２支持部４５ｃでは第２並列部分４５ｄ）と、第１連結部分４４ｅ（第２支持部４５ｃでは第２連結部分４５ｅ）と、第１接触部分４４ｆ（第２支持部４５ｃでは第２接触部分４５ｆ）と、第１設置部分４４ｇ（第２支持部４５ｃでは第２設置部分４５ｇ）と、を有する。
【００３４】
その第１並列部分４４ｄは、第１架渡部４４ｂの突出端から上方へと突出して上下方向に延びて挟み方向に直交する板状を呈する。第１連結部分４４ｅは、その第１並列部分４４ｄの上端に連続し、挟み方向の内側に向けて下側へと折り返すように湾曲された板状を呈する。第１接触部分４４ｆは、その第１連結部分４４ｅの折り返された下端に連続し、挟み方向の内側で第１並列部分４４ｄと平行に上下方向に延びて挟み方向に直交する板状を呈する。このため、第１接触部分４４ｆと第１並列部分４４ｄとは、第１連結部分４４ｅで連結されることにより、挟み方向で所定の間隔を置いて上下方向に延びるとともに、その挟み方向での間隔を縮めるように弾性的に変化させることが可能とされている。
【００３５】
第１設置部分４４ｇは、第１接触部分４４ｆの下端に連続し、挟み方向内側へ向けて延びて上下方向に直交する板状を呈する。この第１設置部分４４ｇは、挟み方向および上下方向に直交する方向の一方（図７を正面視して下側）へ向けて延びており、図７に示すように、その延びた端部が第１接点箇所４４ｈとされている。この第１接点箇所４４ｈは、発光素子３７の後述する第１端子３７ｄの位置関係に対応されて設けられている。第１接点箇所４４ｈは、本実施例では、明確な図示は略すが第１設置部分４４ｇに対して傾斜を為すように上方（図７を正面視して手前側）に屈曲されている。
【００３６】
また、第１設置部分４４ｇでは、図３および図７に示すように、下面（下方側の面）に押圧突起４４ｉが設けられている。この押圧突起４４ｉは、第１設置部分４４ｇ（その下面）から下方へ向けて突出された半球状を呈する。この押圧突起４４ｉは、スイッチ装置３５のスイッチ部３５ｂに対応する大きさ寸法、すなわち本体部３５ａに対してスイッチ部３５ｂを適切に押し込むことを可能とする大きさ寸法とされている（図９参照）。
【００３７】
また、第２板ばね部材４５の第２支持部４５ｃにおいて第１設置部分４４ｇに相当する第２設置部分４５ｇは、図７に示すように、挟み方向および上下方向に直交する方向の他方（図７を正面視して上側）へ向けて延びており、その延びた端部が第２接点箇所４５ｈとされている。この第２接点箇所４５ｈは、発光素子３７の後述する第２端子３７ｅの位置関係に対応されて設けられている。第２接点箇所４５ｈは、本実施例では、明確な図示は略すが第２設置部分４５ｇに対して傾斜を為すように上方（図７を正面視して手前側）に屈曲されている。第２設置部分４５ｇは、第１設置部分４４ｇとの干渉を避けつつ当該第１設置部分４４ｇと同一平面に存在する設定とされている（図３および図９参照）。
【００３８】
この第１板ばね部材４４と第２板ばね部材４５とは、図３、図５および図９に示すように、スイッチ基板３４（その実装面３４ａ）上において、第１取付部４４ａが第１発光素子用回路パターン４２に適切に取り付けられ、かつ第２取付部４５ａが第２発光素子用回路パターン４３に適切に取り付けられると、スイッチ装置３５の上方で、第１支持部４４ｃの第１接触部分４４ｆと第２支持部４５ｃの第２接触部分４５ｆとが所定の間隔を置いて挟み方向で対向するとともに、その間において第１支持部４４ｃの第１設置部分４４ｇと第２支持部４５ｃの第２設置部分４５ｇとが互いに等しい高さ位置で平面を形成する。このため、第１板ばね部材４４の第１支持部４４ｃと第２板ばね部材４５の第２支持部４５ｃとは、スイッチ装置３５の上方に、第１設置部分４４ｇと第２設置部分４５ｇとをスイッチ基板３４（その実装面３４ａ）に平行な底壁面（後述する設置面）とし、第１接触部分４４ｆと第２接触部分４５ｆとをその底壁面の挟み方向の両縁から上方へ向けて立ち上がる側壁面とする保持箇所４６を形成することができる。この保持箇所４６は、保持部材３６が、弾性変形が可能である金属材料で形成されていることから、無負荷状態において最も上方に存在するとともに、上下方向（押下操作方向）でスイッチ基板３４（その実装面３４ａ）に接近させる動作（図９参照）に抗する弾性力が作用する。このため、本実施例では、保持部材３６において、第１板ばね部材４４の第１支持部４４ｃが保持箇所４６を形成する第１突出端部として機能するとともに、第２板ばね部材４５の第２支持部４５ｃが保持箇所４６を形成する第２突出端部として機能する。この保持箇所４６に発光素子３７が設けられる。
【００３９】
その発光素子３７は、全体に直方体形状を呈し、上面（上方側の面）に発光部３７ａが設けられている。このため、発光素子３７では、上面が発光面とされている。この発光素子３７は、上下方向で見て短尺方向（挟み方向）の大きさ寸法が、保持箇所４６の両側壁面間、すなわち第１接触部分４４ｆと第２接触部分４５ｆとの間隔よりも僅かに大きく設定されている。このため、発光素子３７は、保持箇所４６に設けられると、短尺方向に存在する一対の側壁面３７ｂ、３７ｃにおいて、一方の側壁面３７ｂが第１接触部分４４ｆに押し当てられるとともに、他方の側壁面３７ｃが第２接触部分４５ｆに押し当てられることとなる。このため、図３および図９に示すように、保持箇所４６に発光素子３７を押し込むことで、その発光素子３７を保持箇所４６（保持部材３６）に取り付けることができる。すなわち、保持箇所４６では、発光素子３７の圧入による取り付けが可能とされている。
【００４０】
この発光素子３７には、図７に示すように、下面（下方側の面）に第１端子３７ｄと第２端子３７ｅとが設けられている。その第１端子３７ｄは、発光素子３７の下面における挟み方向および上下方向に直交する方向の一方（図７を正面視して下側）に設けられており、第２端子３７ｅは、当該方向の他方（図７を正面視して上側）に設けられている。この発光素子３７は、保持箇所４６に設けられると、そこにおける第１接点箇所４４ｈと第２接点箇所４５ｈとの位置設定により、第１端子３７ｄを第１接点箇所４４ｈに接触させるとともに、第２端子３７ｅを第２接点箇所４５ｈに接触させることができる。ここで、本実施例では、上述したように、第１接点箇所４４ｈが第１設置部分４４ｇに対して傾斜を為すように上方に屈曲されているとともに、第２接点箇所４５ｈが第２設置部分４５ｇに対して傾斜を為すように上方に屈曲されていることから、発光素子３７が保持箇所４６に設けられると、第１接点箇所４４ｈが第１端子３７ｄに押し当てられるとともに、第２接点箇所４５ｈが第２端子３７ｅに押し当てられる。このため、発光素子３７は、保持箇所４６に設けられると、第１接触部分４４ｆと第２接触部分４５ｆとにより挟み方向で挟み込まれて保持されるとともに、第１板ばね部材４４および第２板ばね部材４５と電気的に接続されることとなる。この保持箇所４６に操作ボタン３３が取り付けられる。
【００４１】
この操作ボタン３３は、図１および図３に示すように、筐体１１（カバー３１）の表面に対して押下操作される箇所を形成するものであり、本実施例では電源ボタン１４を形成している。操作ボタン３３は、全体に上側に対して下側の径寸法が大きくされた段付きの円柱形状を呈する。この操作ボタン３３では、図３および図９に示すように、上方の露出箇所３３ａがカバー３１の取付孔３２に通すことを可能としつつ互いの隙間を可能な限り小さくすることのできる外径寸法とされており、下方の収容箇所３３ｂが取付孔３２に通すことのできない外径寸法とされている。このため、操作ボタン３３は、カバー３１の下側（筐体１１の内方側）から取付孔３２に露出箇所３３ａを通すことで、その露出箇所３３ａと取付孔３２との案内作用により、筐体１１の取付孔３２において上下方向（押下操作方向）へと移動することが可能とされている。また、操作ボタン３３は、収容箇所３３ｂと取付孔３２との大きさ寸法の設定により、その取付孔３２から筐体１１の外方（カバー３１の上側）へと抜け落ちることが防止されている。
【００４２】
この操作ボタン３３には、中央に上下方向（押下操作方向）に延びる貫通孔からなり、上下方向に直交する断面形状が露出箇所３３ａと同心円状の円形状とされた点灯窓４７が設けられている。この点灯窓４７は、上方の上部分４７ａよりも下方の下部分４７ｂの方が、内径寸法が大きく設定されている。点灯窓４７には、透過部材４８が設けられている。
【００４３】
その透過部材４８は、点灯窓４７の内方形状に適合する外径形状とされており、全体に上側に対して下側の径寸法が大きくされた段付きの円柱形状を呈する。透過部材４８は、少なくとも発光素子３７（発光部３７ａ）から出射される光の透過を許す材料から形成されている。その透過部材４８は、点灯窓４７の上部分４７ａを充填する上部４８ａと、点灯窓４７の下部分４７ｂを充填しつつそこから下方へと突出する下部４８ｂと、を有する。透過部材４８は、操作ボタン３３の下側から点灯窓４７に通されることにより、操作ボタン３３に取り付けられている。この透過部材４８は、図示は略すが、接着剤を用いて操作ボタン３３（その点灯窓４７）に固定したり、２色成形や熱溶着等の手段により操作ボタン３３（その点灯窓４７）に固定したりすることが望ましい。
【００４４】
その透過部材４８には、図３および図８に示すように、下面（下方側の面）すなわちスイッチ基板３４（その実装面３４ａ）と上下方向で対向される対向面４８ｃに取付凹所４９が設けられている。この取付凹所４９は、第１板ばね部材４４（その第１支持部４４ｃ）と第２板ばね部材４５（その第２支持部４５ｃ）とにより形成された保持箇所４６を利用して、操作ボタン３３を保持部材３６に取り付けるものである。取付凹所４９は、発光素子３７が設けられた保持箇所４６の受け入れを可能とする大きさ寸法の直方体形状を呈する。この取付凹所４９では、挟み方向で見た大きさ寸法が保持箇所４６よりも僅かに小さく設定されている。このため、取付凹所４９では、保持箇所４６を受け入れると、挟み方向に存在する一対の側壁面４９ａに、保持箇所４６において挟み方向の外側に存在する第１並列部分４４ｄおよび第２並列部分４５ｄが押し当てられることとなる（図３等参照）。このため、図３および図９に示すように、取付凹所４９に保持箇所４６を押し込むことで、操作ボタン３３を保持部材３６に取り付けることができる。すなわち、取付凹所４９では、保持箇所４６の圧入による取り付けが可能とされている。このように取り付けられることで、保持箇所４６に保持された発光素子３７に操作ボタン３３を被せるように、当該操作ボタン３３を保持部材３６に取り付けることができる。
【００４５】
取付凹所４９は、本実施例では、上下方向で見た大きさ寸法が、保持箇所４６を受け入れた状態において、その保持箇所４６に設けられた発光素子３７の発光部３７ａ（発光面）を透過部材４８における対向面４８ｃよりも上方に存在させることを可能とする設定（深さ寸法）とされている。このため、取付凹所４９に保持箇所４６を押し込んで操作ボタン３３を保持部材３６に取り付けた状態において、その保持箇所４６に設けられた発光素子３７の発光部３７ａ（発光面）は、透過部材４８の下部４８ｂ（その下部）により取り囲まれることとなる。また、操作ボタン３３は、取付凹所４９に保持箇所４６を押し込んで保持部材３６に取り付けられることで、保持部材３６により取付孔３２内において上下方向の上側へと押されているとともに、その保持部材３６の押す力に抗して上下方向の下側へと押下操作することが可能とされ、その押し下げる力を解除すると元の位置に復帰することが可能とされている。
【００４６】
この押下スイッチ機構３０は、次のように組み付けられる。先ず、図５に示すように、スイッチ用回路パターン４１と第１発光素子用回路パターン４２と第２発光素子用回路パターン４３とが設けられたスイッチ基板３４（その実装面３４ａ（図６参照））上に、スイッチ装置３５を実装し、かつ保持部材３６を取り付ける。そのスイッチ装置３５は、本体部３５ａの端子３５ｃをスイッチ用回路パターン４１の電極箇所４１ｃに電気的に接続し、かつ本体部３５ａの端子３５ｄをスイッチ用回路パターン４１の電極箇所４１ｄに電気的に接続して（図６参照）、スイッチ基板３４（その実装面３４ａ）に実装する。また、保持部材３６は、第１取付部４４ａを第１発光素子用回路パターン４２に電気的に接続して第１板ばね部材４４をスイッチ基板３４（その実装面３４ａ）に実装し、第２取付部４５ａが第２発光素子用回路パターン４３に電気的に接続して第２板ばね部材４５をスイッチ基板３４（その実装面３４ａ）に実装することで、スイッチ基板３４（その実装面３４ａ）に取り付けられる。このとき、保持部材３６をスイッチ基板３４（その実装面３４ａ）により強固に固定する観点から、本実施例では、導電性を有する半田５１を複数個所（図示の例では２箇所ずつ）に設けることにより、第１板ばね部材４４および第２板ばね部材４５をスイッチ基板３４（その実装面３４ａ）に取り付けている。
【００４７】
すると、スイッチ装置３５の上方には、第１板ばね部材４４の第１支持部４４ｃと第２板ばね部材４５の第２支持部４５ｃとにより、第１設置部分４４ｇおよび第２設置部分４５ｇからなるスイッチ基板３４（その実装面３４ａ）に平行な底壁面と、第１接触部分４４ｆおよび第２接触部分４５ｆからなり底壁面の挟み方向の両縁から上方へ向けて立ち上がる側壁面と、を有する保持箇所４６が形成される（図７参照）。その保持箇所４６の第１接触部分４４ｆと第２接触部分４５ｆとの間に、図３および図９に示すように、保持箇所４６の底壁面（第１設置部分４４ｇおよび第２設置部分４５ｇ）に押し当たる位置まで発光素子３７を押し入れる。すると、発光素子３７は、一対の側壁面３７ｂ、３７ｃが第１接触部分４４ｆと第２接触部分４５ｆとに押し当てられ、その第１接触部分４４ｆおよび第２接触部分４５ｆにより挟み方向で挟み込まれて保持される。このとき、発光素子３７は、保持箇所４６の底壁面（第１設置部分４４ｇおよび第２設置部分４５ｇ）上に設置された状態となる。このため、第１設置部分４４ｇおよび第２設置部分４５ｇで構成された底壁面は、保持箇所４６における発光素子３７の設置面として機能する。また、発光素子３７では、上述したように、底壁面（設置面）に設けられた第１端子３７ｄに保持箇所４６の第１接触部分４４ｆの第１接点箇所４４ｈが押し当てられるとともに、底壁面（設置面）に設けられた第２端子３７ｅに保持箇所４６の第１接触部分４４ｆの第２接点箇所４５ｈが押し当てられる。このため、発光素子３７は、第１板ばね部材４４を介して第１発光素子用回路パターン４２に接続されるとともに、第２板ばね部材４５を介して第２発光素子用回路パターン４３に接続される。
【００４８】
その後、図３および図４に示すように、操作ボタン３３の点灯窓４７に設けられた透過部材４８の取付凹所４９に、発光素子３７が設けられた保持箇所４６を押し込むことで、その操作ボタン３３を保持部材３６に取り付ける。これにより、スイッチ基板３４（その実装面３４ａ）では、スイッチ装置３５の周辺に設けられた保持部材３６（第１板ばね部材４４および第２板ばね部材４５）を介して、スイッチ装置３５の上方に発光素子３７が設けられ、その発光素子３７の上方に操作ボタン３３が設けられる。そして、図３に示すように、その操作ボタン３３をカバー３１の取付孔３２に上下方向で適切に対応する位置関係としつつ、スイッチ基板３４を筐体１１（カバー３１）に取り付ける。これにより、押下スイッチ機構３０が筐体１１（カバー３１）に組みつけられる。その筐体１１（カバー３１）では、操作ボタン３３の露出箇所３３ａと取付孔３２との案内作用および保持部材３６の弾性力により、取付孔３２から操作ボタン３３の露出箇所３３ａ（その先端面）が露出されるとともに、取付孔３２内において上下方向の下側へと押下操作することが可能であり（図９参照）、かつその押し下げる力を解除すると元の位置に復帰することが可能な電源ボタン１４としての操作ボタン３３が設けられる。
【００４９】
この押下スイッチ機構３０では、筐体１１（カバー３１（その取付孔３２））から露出させた電源ボタン１４（操作ボタン３３（その露出箇所３３ａ））が押下操作されると、図９に示すように、その操作ボタン３３の透過部材４８の取付凹所４９に押し込まれた保持箇所４６がスイッチ基板３４に設けられたスイッチ装置３５（その本体部３５ａ）に接近するように、保持部材３６が撓み変形する。すると、保持箇所４６の下面には、保持部材３６において、第１板ばね部材４４の第１支持部４４ｃの第１設置部分４４ｇの下面（下方側の面）から突出する押圧突起４４ｉが設けられていることから、その押圧突起４４ｉがスイッチ装置３５のスイッチ部３５ｂを本体部３５ａに対して適切に押し込む（図９では押し下げる）ことができる。なお、スイッチ装置３５のスイッチ部３５ｂが導電性を有する構成である場合、スイッチ部３５ｂおよび押圧突起４４ｉの互いが当たる箇所の少なくともいずれか一方に非導電性材料を設ける必要がある。このような非導電性材料を設ける構成としては、スイッチ部３５ｂおよび押圧突起４４ｉの少なくともいずれか一方に、非導電性のシートを貼り付けることや、当該シートを双方の間に挟むことがあげられる。
【００５０】
このため、押下スイッチ機構３０では、デジタルカメラ１０（その制御機構（図２参照）を構成する電子回路）が停止状態（ＯＦＦ状態）とされている際に、操作ボタン３３（その露出箇所３３ａ（電源ボタン１４））が押下操作（上述した起動操作）されると、スイッチ装置３５のスイッチ部３５ｂを押込状態としてスイッチ装置３５（その本体部３５ａ）から制御部２１へと起動操作信号（押下操作信号）を出力する。すると、上述したように、制御部２１が、デジタルカメラ１０（その制御機構（電子回路））を起動し、かつその起動状態を維持するので、当該デジタルカメラ１０（その制御機構（電子回路））を駆動状態とすることができる。このとき、上述したデジタルカメラ１０の制御機構（図２参照）を構成する電子回路では、スイッチ基板３４（その実装面３４ａ）上の第１発光素子用回路パターン４２および第１板ばね部材４４を介して第１端子３７ｄに接続されるとともに、スイッチ基板３４（その実装面３４ａ）上の第２発光素子用回路パターン４３および第２板ばね部材４５を介して第２端子３７ｅに接続された発光素子３７（その発光部３７ａ）を点灯させる。この発光素子３７（その発光部３７ａ）の点灯状態は、デジタルカメラ１０の制御機構（図２参照）を構成する電子回路が停止状態とされるまで継続される。このため、押下スイッチ機構３０では、電源ボタン１４の押下操作によりデジタルカメラ１０が駆動状態とされると、その電源ボタン１４を構成する操作ボタン３３の点灯窓４７に設けられた透過部材４８（その上端面４８ｄ（点灯窓４７の上側開口端部）を経て発光素子３７（その発光部３７ａ）から発光された光を認識させることができる。すなわち、電源ボタン１４の中心位置を点灯させることができる。このため、本実施例では、電源ボタン１４の中心位置、すなわち操作ボタン３３の透過部材４８（上端面４８ｄ（点灯窓４７の上側開口端部））は、操作ボタン３３（電源ボタン１４）における点灯箇所を構成している。
【００５１】
また、押下スイッチ機構３０では、デジタルカメラ１０（その制御機構（図２参照）を構成する電子回路）が駆動状態（ＯＮ状態）とされている際に、操作ボタン３３（その露出箇所３３ａ（電源ボタン１４））が押下操作（上述した停止操作）されると、スイッチ装置３５のスイッチ部３５ｂを押込状態としてスイッチ装置３５（その本体部３５ａ）から制御部２１へと停止操作信号（押下操作信号）を出力する。すると、上述したように、制御部２１が、デジタルカメラ１０（その制御機構（電子回路））を停止し、かつその停止状態を維持するので、当該デジタルカメラ１０（その制御機構（電子回路））を停止状態とすることができる。このとき、上述したデジタルカメラ１０の制御機構（図２参照）を構成する電子回路では、発光素子３７（その発光部３７ａ）を消灯させる。この発光素子３７（その発光部３７ａ）の消灯状態は、デジタルカメラ１０の制御機構（図２参照）を構成する電子回路が停止状態とされるまで継続される。このため、押下スイッチ機構３０では、電源ボタン１４の押下操作によりデジタルカメラ１０が停止状態とされると、その電源ボタン１４を構成する操作ボタン３３の点灯窓４７に設けられた透過部材４８（その上端面４８ｄ（点灯窓４７の上側開口端部）を経る発光素子３７（その発光部３７ａ）から発光された光が認識できなくなり、電源ボタン１４の中心位置の点灯状態が停止される。
【００５２】
なお、押下スイッチ機構３０では、起動操作か停止操作かに拘らず、電源ボタン１４（操作ボタン３３（その露出箇所３３ａ））への押下操作が解除されると、保持部材３６の復帰力（復元力）により電源ボタン１４（操作ボタン３３（その露出箇所３３ａ））を筐体１１（カバー３１）の取付孔３２内の初期位置に戻す（図３参照）。
【００５３】
次に、操作ボタン（本実施例では電源ボタン１４）を押下操作することにより、押下操作信号を出力すべく回路基板（スイッチ基板）にスイッチ装置が設けられた押下スイッチ機構において、発光素子を用いて操作ボタンに点灯箇所を設ける際の技術の課題について説明する。
【００５４】
従来、押下スイッチ機構では、図示は略すが、上下方向に移動可能とされた操作ボタンと発光素子とを並列して設けるとともに、その操作ボタンの下方（裏側）にスイッチ装置を設け、操作ボタンへの押下操作により状態が切り替えられるスイッチ装置の状態に応じて、発光素子を点灯もしくは消灯させる構成とすることが考えられている。ここで、押下スイッチ機構では、操作ボタンの側方に点灯箇所を設けるのではなく、操作ボタンに点灯箇所を設けることが望まれている。すると、スイッチ装置と発光素子とがともに回路基板上で構成される電子回路の構成部品であることから他の電子部品とともに回路基板に実装する必要があるのに対し、スイッチ部が押されることで切り替えが可能とされたスイッチ装置の上方に上下方向への押し下げ操作が可能な操作ボタンを設けることが望ましいことから、操作ボタンの下方に発光素子を設けることが困難である。
【００５５】
このため、図１０および図１１に示すような構成の押下スイッチ機構８０とすることが考えられる。この比較例としての押下スイッチ機構８０では、理解容易のために、上記した実施例と同様に電源ボタンを構成するものとする。押下スイッチ機構８０では、カバー８１に設けられた取付孔８２から、電源ボタンとしての操作ボタン８３の操作ボタン箇所８３ａが露出され、その下方にスイッチ基板８４が設けられて構成されている。その操作ボタン８３は、カバー８１の裏面に沿って延びるヒンジ腕部８３ｂの先端がカバー８１（その裏面）に固定されており（図１１参照）、操作ボタン箇所８３ａの取付孔８２（カバー８１）に対する上下方向への移動が可能とされている。また、操作ボタン８３では、ヒンジ腕部８３ｂとは反対側に押圧突起部８３ｃが設けられている。操作ボタン８３では、操作ボタン箇所８３ａの中心に上下方向に貫通する点灯窓８３ｄが設けられており、その点灯窓８３ｄに透過性を有する材料からなる透過部材８３ｅが充填されている。
【００５６】
スイッチ基板８４には、押圧突起部８３ｃの下方にスイッチ部８５ａを有するスイッチ装置８５が実装され、操作ボタン箇所８３ａの点灯窓８３ｄ（透過部材８３ｅ）の下方に発光素子８６が実装されている。そのスイッチ基板８４には、発光素子８６を取り囲む緩衝部材８７が設けられており、発光素子８６から出射された光が漏れることを抑制している。
【００５７】
この押下スイッチ機構８０では、操作ボタン８３の操作ボタン箇所８３ａを押下操作すると、操作ボタン８３の押圧突起部８３ｃでスイッチ装置８５のスイッチ部８５ａを押すことにより、スイッチ装置８５から操作信号を出力させることができる。また、押下スイッチ機構８０では、スイッチ装置８５からの操作信号により図１と同様のデジタルカメラ（電子機器）が起動状態とされると発光素子８６を点灯させ、スイッチ装置８５からの操作信号により当該デジタルカメラ（電子機器）が停止状態とされると発光素子８６を消灯させるものとしている。
【００５８】
この押下スイッチ機構８０では、電源ボタンとして機能する操作ボタン８３の操作ボタン箇所８３ａの上下方向で見た下側に操作ボタン箇所８３ａの点灯窓８３ｄ（透過部材８３ｅ）を点灯させる発光素子８６を設けていることから、操作ボタン箇所８３ａ（電源ボタン）に対して押下操作方向に直交する方向で変位された（オフセットした）位置にスイッチ装置８５が設けられており、操作ボタン箇所８３ａから同様に変位された位置に設けられた押圧突起部８３ｃでスイッチ装置８５のスイッチ部８５ａを押すものとされている。このように操作ボタン箇所８３ａ（電源ボタン）とスイッチ装置８５のスイッチ部８５ａ（押圧突起部８３ｃ）とが押下方向に直交する方向に変位されていると、操作ボタン箇所８３ａ（電源ボタン）の押し下げによる移動の態様とスイッチ部８５ａ（押圧突起部８３ｃ）の押し下げ方向への移動の態様とに差異が生じてしまう。また、スイッチ装置８５におけるスイッチ部８５ａを押し込む操作に要する力に対して、操作ボタン８３における剛性を十分な設定としないと、スイッチ部８５ａに押し当てられた押圧突起部８３ｃを支点として操作ボタン８３が変形することで、取付孔８２（カバー８１）に対して操作ボタン箇所８３ａ（電源ボタン）が傾いてしまったり、操作ボタン箇所８３ａ（電源ボタン）の操作量（押下量）が設計値よりも大きくなってしまったりする虞もある（図１１（ｂ）参照）。このため、操作ボタン箇所８３ａ（電源ボタン）の押下操作の操作感を向上させる観点や、操作ボタン箇所８３ａ（電源ボタン）への押下操作でスイッチ装置８５のスイッチ部８５ａをより適切に押し下げることを可能とする観点から改良の余地がある。
【００５９】
これに対し、本実施例の押下スイッチ機構３０では、スイッチ基板３４（その実装面３４ａ）上に、スイッチ装置３５が実装されるとともにその上方に保持箇所４６を形成する保持部材３６が設けられており、その保持箇所４６に発光素子３７が設けられるとともに操作ボタン３３（電源ボタン１４）が取り付けられており、その保持箇所４６が保持部材３６によりスイッチ装置３５に接近することが可能とされているので、押下操作により状態を切り替えることのできるスイッチ装置３５の上方に操作ボタン３３を設けるとともにその操作ボタン３３の下方に発光素子３７を設けて操作ボタン３３に点灯箇所を設けることができる。このように、操作ボタン３３が押下操作により変位する方向にスイッチ装置３５（そのスイッチ部３５ｂ）が設けられていることから、操作ボタン３３に点灯箇所を設けても当該操作ボタン３３の押し下げによる移動の態様とスイッチ装置３５の押し下げ方向への移動の態様との差異を極めて小さくする（実質的に差異をなくす）ことができるので、操作ボタン３３の押下操作の操作感を向上させることができるとともに、スイッチ装置３５をより適切に押し下げることができる。
【００６０】
また、押下スイッチ機構３０では、操作ボタン３３の下方に発光素子３７が設けられていることから、操作ボタン３３に点灯窓４７を設けるだけで操作ボタン３３に点灯箇所を設けることができる。
【００６１】
さらに、押下スイッチ機構３０では、保持箇所４６に設けられた発光素子３７が、保持部材３６を介してスイッチ基板３４と電気的に接続されていることから、発光素子３７のスイッチ基板３４との電気的な接続を容易なものとすることができるとともに、その接続のための当該電路（接続線）が保持箇所４６とスイッチ基板３４との間で煩雑な状態となることを防止することができる。
【００６２】
押下スイッチ機構３０では、操作ボタン３３が押下操作により変位する方向の下方に、その直線上で押し込み操作されるスイッチ部３５ｂを有するスイッチ装置３５が設けられていることから、スイッチ装置３５における本体部３５ａに対するスイッチ部３５ｂの押し込み操作をより適切なものとすることができる。
【００６３】
押下スイッチ機構３０では、保持箇所４６が保持部材３６によりスイッチ装置３５に接近することが可能であるとともに初期位置への復帰が可能とされているので、操作ボタン３３への押下操作により保持箇所４６でスイッチ装置３５（そのスイッチ部３５ｂ）を押込状態とすることができるとともに、その操作ボタン３３への押下操作が解除されるとスイッチ装置３５（そのスイッチ部３５ｂ）を初期状態へと復帰させることができる。
【００６４】
押下スイッチ機構３０では、スイッチ装置３５の上方に操作ボタン３３を設けるとともにその操作ボタン３３の下方に発光素子３７を設けて操作ボタン３３に点灯箇所を設けることができることから、操作ボタン３３における意匠性を向上させることができるとともに、操作ボタン３３が設けられる電子機器（上記した実施例ではデジタルカメラ１０）における配置スペースを効率よく利用することができる。
【００６５】
押下スイッチ機構３０では、保持部材３６としての第１板ばね部材４４の第１支持部４４ｃと、保持部材３６としての第２板ばね部材４５の第２支持部４５ｃとにより、発光素子３７を挟み方向で挟みつつスイッチ基板３４の実装面３４ａ側に設置面が規定されて保持箇所４６が形成されていることから、発光素子３７の保持箇所４６への設置を容易なものとしつつ保持箇所４６による発光素子３７の保持をより安定したものとすることができる。
【００６６】
押下スイッチ機構３０では、保持部材３６で形成した保持箇所４６に、発光素子３７を保持する機能と、スイッチ装置３５のスイッチ部３５ｂを押し込む機能と、の双方を具備させることができる。このため、より簡易な構成とすることができる。
【００６７】
押下スイッチ機構３０では、保持部材３６で形成した保持箇所４６に、発光素子３７を保持する機能と、スイッチ装置３５のスイッチ部３５ｂを押し込む機能と、スイッチ基板３４（そこに実装されたスイッチ装置３５）に対して弾性的な変位を可能とすべく操作ボタン３３を保持部材３６へと取り付ける機能と、の３つを具備させることができる。このため、より簡易な構成とすることができる。
【００６８】
押下スイッチ機構３０では、保持部材３６としての第１板ばね部材４４と第２板ばね部材４５とが導電性を有する材料で形成されており、その第１板ばね部材４４において、第１取付部４４ａを第１発光素子用回路パターン４２に電気的に接続されるとともに第１支持部４４ｃが発光素子３７の第１端子３７ｄに接続され、かつ第２板ばね部材４５において、第２取付部４５ａが第２発光素子用回路パターン４３に電気的に接続されるとともに第２支持部４５ｃが発光素子３７の第２端子３７ｅに接続されているので、第１板ばね部材４４および第２板ばね部材４５に、スイッチ装置３５に対する押下操作のための弾性部材としての機能と、発光素子３７における電路としての機能と、の双方を具備させることができる。このため、より簡易な構成とすることができる。
【００６９】
押下スイッチ機構３０では、保持箇所４６の第１接触部分４４ｆと第２接触部分４５ｆとの間に発光素子３７を押し入れることで、その発光素子３７の一対の側壁面３７ｂ、３７ｃが第１接触部分４４ｆと第２接触部分４５ｆとに押し当てられて、発光素子３７を挟み方向で挟み込まれて保持箇所４６に保持させることができる。これは、第１板ばね部材４４の第１支持部４４ｃにおいて、第１接触部分４４ｆと第１並列部分４４ｄとが第１連結部分４４ｅで連結されることで挟み方向で見た位置関係の弾性的な変化が可能とされているとともに、第２板ばね部材４５の第２支持部４５ｃにおいて、第２接触部分４５ｆと第２並列部分４５ｄとが第２連結部分４５ｅで連結されることで挟み方向で見た位置関係の弾性的な変化が可能とされており、発光素子３７の挟み方向での大きさ寸法が第１接触部分４４ｆと第２接触部分４５ｆとの間隔よりも僅かに大きく設定されていることによる。このため、発光素子３７の保持箇所４６への設置を容易なものとすることができる。
【００７０】
押下スイッチ機構３０では、第１板ばね部材４４の第１支持部４４ｃにおける第１接点箇所４４ｈが第１設置部分４４ｇに対して傾斜を為すように上方に屈曲されているとともに、第２板ばね部材４５の第２支持部４５ｃにおける第２接点箇所４５ｈが第２設置部分４５ｇに対して傾斜を為すように上方に屈曲されていることから、発光素子３７を保持箇所４６へと設置するだけで、その発光素子３７の第１端子３７ｄに第１接点箇所４４ｈが押し当てられるとともに第２端子３７ｅに第２接点箇所４５ｈが押し当てられて、発光素子３７を第１板ばね部材４４および第２板ばね部材４５と電気的に接続させることができる。このため、発光素子３７の保持箇所４６への設置をより容易なものとすることができる。
【００７１】
押下スイッチ機構３０では、第１板ばね部材４４の第１支持部４４ｃにおいて、第１接触部分４４ｆと第１並列部分４４ｄとが第１連結部分４４ｅで連結されることで挟み方向で見た位置関係の弾性的な変化が可能とされているとともに、第２板ばね部材４５の第２支持部４５ｃにおいて、第２接触部分４５ｆと第２並列部分４５ｄとが第２連結部分４５ｅで連結されることで挟み方向で見た位置関係の弾性的な変化が可能とされており、操作ボタン３３の透過部材４８に設けられた取付凹所４９の挟み方向で見た大きさ寸法が保持箇所４６よりも僅かに小さく設定されていることから、その取付凹所４９に発光素子３７が設けられた保持箇所４６を押し入れることで、取付凹所４９の一対の側壁面４９ａに第１並列部分４４ｄおよび第２並列部分４５ｄが押し当てて、挟み方向で挟み込ませて保持箇所４６を取付凹所４９に保持させることができる。このため、操作ボタン３３の保持箇所４６への取り付けを容易なものとすることができる。
【００７２】
押下スイッチ機構３０では、取付凹所４９の上下方向で見た大きさ寸法（深さ寸法）が、保持箇所４６を受け入れた状態において、その保持箇所４６に設けられた発光素子３７の発光部３７ａ（発光面）を透過部材４８における対向面４８ｃよりも上方に存在させることを可能とする設定とされていることから、その発光部３７ａを透過部材４８の下部４８ｂ（その下部）により取り囲んだ状態とすることができる。このため、発光素子３７の発光部３７ａから出射された光をより効率よく透過部材４８内へと進行させることができ、当該光が予期せぬ方向へと進行する（光が漏れる）ことを抑制することができる。
【００７３】
押下スイッチ機構３０では、透過部材４８に設けられた取付凹所４９に、操作ボタン３３のスイッチ基板３４（そこに実装されたスイッチ装置３５）に対して弾性的な変位を可能とすべく保持部材３６へと取り付ける機能と、発光素子３７の発光部３７ａから出射された光が漏れることを抑制する機能と、の双方を具備させることができる。このため、より簡易な構成とすることができる。
【００７４】
押下スイッチ機構３０では、カバー３１の取付孔３２に設けられる操作ボタン３３と、保持箇所４６に設けられた発光素子３７（その発光部３７ａ）と、スイッチ装置３５のスイッチ部３５ｂと、が上下方向で整列する位置関係すなわち押下操作方向に平行な同一直線上に設けられていることから、操作ボタン３３への押下操作によりスイッチ装置３５のスイッチ部３５ｂをより適切に押し下げることができるとともに、そのスイッチ装置３５の状態に応じて操作ボタン３３の点灯窓４７の透過部材４８を点灯させることができる。
【００７５】
押下スイッチ機構３０では、操作ボタン３３の中心位置に点灯窓４７が設けられていることから、操作ボタン３３（電源ボタン１４）の中心位置に操作ボタン３３における点灯箇所を設けることができ、より意匠性を高めることができるとともに、当該点灯箇所が操作ボタン３３としての状態を示していることをより明確なものとすることができる。
【００７６】
押下スイッチ機構３０では、保持箇所４６の下面に、保持部材３６としての第１板ばね部材４４の第１支持部４４ｃの第１設置部分４４ｇの下面から下方に突出する押圧突起４４ｉが設けられていることから、その押圧突起４４ｉでスイッチ装置３５のスイッチ部３５ｂを本体部３５ａに対して押し込むことができるので、保持箇所４６でより適切にスイッチ装置３５を押下操作することができる。
【００７７】
押下スイッチ機構３０では、保持部材３６としての第１板ばね部材４４が半円環状の第１取付部４４ａで、スイッチ基板３４（その実装面３４ａ）上の第１発光素子用回路パターン４２に接続されるとともに、保持部材３６としての第２板ばね部材４５が半円環状の第２取付部４５ａで、スイッチ基板３４（その実装面３４ａ）上の第２発光素子用回路パターン４３に接続されているので、第１板ばね部材４４および第２板ばね部材４５をより安定してスイッチ基板３４（その実装面３４ａ）上に設けることができ、発光素子３７を保持するとともにスイッチ装置３５のスイッチ部３５ｂを本体部３５ａに対して押し込む保持箇所４６をより安定して形成することができる。
【００７８】
本実施例の押下スイッチ機構３０が設けられたデジタルカメラ１０では、操作ボタン３３（電源ボタン１４）に点灯箇所を設けつつ、その操作ボタン３３（電源ボタン１４）の操作感触を良好なものとすることができる。このため、より品質を向上させることができる。
【００７９】
したがって、本実施例の押下スイッチ機構３０では、操作ボタン３３の下方にスイッチ装置３５を設けつつ操作ボタン３３に点灯箇所（透過部材４８（上端面４８ｄ（点灯窓４７の上側開口端部）））を設けることができる。
【００８０】
なお、上記した実施例では、本発明に係る押下スイッチ機構の一例としての押下スイッチ機構３０について説明したが、操作ボタンの押下操作により回路基板に設けられたスイッチ装置のスイッチ部を押し込む押下スイッチ機構であって、前記スイッチ装置に対して前記操作ボタンの押下操作方向で見た前記回路基板とは反対側で発光素子を保持する保持箇所を形成する保持部材を有し、前記保持箇所には、前記発光素子を保持した状態で前記操作ボタンが取り付けられ、前記保持部材は、前記保持箇所の前記回路基板に対する前記押下操作方向への変位を可能とし、前記保持箇所は、前記操作ボタンが押下操作されると、前記スイッチ部を押し込む押下スイッチ機構であればよく、上記した実施例に限定されるものではない。
【００８１】
また、上記した実施例では、押下スイッチ機構３０の操作ボタン３３で電源ボタン１４を形成するものとされていたが、押下操作が為される操作ボタンであれば、例えば、上記した実施例のデジタルカメラ１０におけるシャッターボタン１５やその他の操作スイッチ１７であってもよく、他の電子機器の操作ボタンであってもよく、上記した実施例に限定されるものではない。
【００８２】
さらに、上記した実施例では、保持部材３６が、弾性変形が可能であるとともに導電性を有する金属材料で形成され、保持箇所４６で保持した発光素子３７とスイッチ基板３４との間での電路も併せて形成する構成とされていたが、スイッチ基板３４（その実装面３４ａ）に実装されたスイッチ装置３５の上方に発光素子３７を保持しつつスイッチ装置３５のスイッチ部３５ｂを押し込むことができ操作ボタン３３が取り付けられる保持箇所４６を形成するものであればよく、上記した実施例に限定されるものではない。このような構成の場合、保持箇所４６で保持した発光素子３７とスイッチ基板３４との間を接続線で繋いだり、保持部材３６に電気パターンのような電路を形成することで当該保持部材３６を介して発光素子３７とスイッチ基板３４とを接続したりすることが考えられる。
【００８３】
上記した実施例では、保持部材３６が第１板ばね部材４４と第２板ばね部材４５とを有するものとされていたが、スイッチ基板３４（その実装面３４ａ）に実装されたスイッチ装置３５の上方に発光素子３７を保持しつつスイッチ装置３５のスイッチ部３５ｂを押し込むことができ操作ボタン３３が取り付けられる保持箇所４６を形成するものであればよく、上記した実施例に限定されるものではない。
【００８４】
上記した実施例では、操作ボタン３３で電源ボタン１４を構成するとともに、その操作ボタン３３への押下操作によりデジタルカメラ１０が駆動状態とされると発光素子３７（操作ボタン３３における点灯箇所）を点灯させ、操作ボタン３３への押下操作によりデジタルカメラ１０が停止状態とされると発光素子３７（操作ボタン３３における点灯箇所）を消灯させる構成とされていたが、操作ボタン３３で他の操作ボタンを構成するとともに当該他の操作ボタンに割り当てられた機能のＯＮ状態またはＯＦＦ状態を認識させるべく点消灯する構成であってもよく、操作ボタン３３で他の操作ボタンを構成するとともに当該他の操作ボタンの位置の認識を容易とするために常時点灯させる構成であってもよく、上記した実施例に限定されるものではない。
【００８５】
上記した実施例では、スイッチ装置３５が、本体部３５ａに対してスイッチ部３５ｂが初期状態（初期位置）から押し込まれた状態（押込状態（押込位置））とされると操作信号を出力し、その押込状態が解除されると初期状態（初期位置）へと復帰して操作信号の出力を止める構成とされていたが、本体部３５ａに対してスイッチ部３５ｂが押し込まれることにより操作信号を出力するものであればよく、上記した実施例に限定されるものではない。
【００８６】
上記した実施例では、スイッチ装置３５が全体に直方体形状とされていたが、スイッチ部が押し込まれると操作信号を出力するものであれば、例えば、金属ドーム型スイッチえあってもよく、上記した実施例に限定されるものではない。
【００８７】
上記した実施例では、保持箇所４６が、第１接触部分４４ｆと第２接触部分４５ｆとの間に発光素子３７が押し入られることで、その発光素子３７の一対の側壁面３７ｂ、３７ｃが第１接触部分４４ｆと第２接触部分４５ｆとに押し当てて発光素子３７を挟み方向で挟み込んで保持する構成とされていたが、スイッチ基板３４（その実装面３４ａ）に実装されたスイッチ装置３５の上方に発光素子３７を保持しつつスイッチ装置３５のスイッチ部３５ｂを押し込むことができ操作ボタン３３が取り付けられるものであればよく、上記した実施例に限定されるものではない。
【００８８】
上記した実施例では、保持箇所４６の下面に、保持部材３６としての第１板ばね部材４４の第１支持部４４ｃの第１設置部分４４ｇの下面から下方に突出する押圧突起４４ｉが設けられていたが、保持部材３６が形成する保持箇所４６でスイッチ装置３５（そのスイッチ部３５ｂ）の押し込むことを可能とするものであれば、押圧突起４４ｉが設けられていなくてもよく、上記した実施例に限定されるものではない。
【００８９】
上記した実施例では、操作ボタン３３の取付凹所４９に発光素子３７が設けられた保持箇所４６を押し入れることで、取付凹所４９の一対の側壁面４９ａに第１並列部分４４ｄおよび第２並列部分４５ｄを押し当てて保持箇所４６を挟み方向で挟み込ませて取付凹所４９で保持する構成とされていたが、発光素子３７を保持した保持箇所４６に操作ボタン３３を取り付けることを可能とするものであればよく、上記した実施例に限定されるものではない。
【００９０】
上記した実施例では、第１板ばね部材４４の第１支持部４４ｃにおける第１接点箇所４４ｈが第１設置部分４４ｇに対して傾斜を為すように上方に屈曲されているとともに、第２板ばね部材４５の第２支持部４５ｃにおける第２接点箇所４５ｈが第２設置部分４５ｇに対して傾斜を為すように上方に屈曲されて、発光素子３７を保持箇所４６へと設置するだけで、その発光素子３７の第１端子３７ｄに第１接点箇所４４ｈが押し当てられるとともに第２端子３７ｅに第２接点箇所４５ｈが押し当てられる構成とされていたが、保持箇所４６で保持した発光素子３７（その端子）を第１板ばね部材４４および第２板ばね部材４５に電気的に接続させることを可能とするものであれば、半田等を用いて接続するものであってもよく、上記した実施例に限定されるものではない。
【００９１】
上記した実施例では、保持部材３６としての第１板ばね部材４４（第２板ばね部材４５）が、第１取付部４４ａ（第２取付部４５ａ）と第１架渡部４４ｂ（第２架渡部４５ｂ）と第１支持部４４ｃ（第２支持部４５ｃ）とを有する構成とされていたが、スイッチ装置３５の上方に発光素子３７を保持しつつスイッチ装置３５のスイッチ部３５ｂを押し込むことができ操作ボタン３３が取り付けられる保持箇所４６を形成すべくスイッチ基板３４（回路基板）に設けられるものであればよく、上記した実施例に限定されるものではない。
【００９２】
上記した実施例では、保持部材３６としての第１板ばね部材４４（第２板ばね部材４５）の突出端部（第１支持部４４ｃ（第２支持部４５ｃ））が、第１並列部分４４ｄ（第２並列部分４５ｄ）と第１連結部分４４ｅ（第２連結部分４５ｅ）と第１接触部分４４ｆ（第２接触部分４５ｆ）と第１設置部分４４ｇ（第２設置部分４５ｇ）とを有する構成とされていが、挟み方向で挟み込むことで発光素子３７を保持しつつ操作ボタン３３が取り付けられスイッチ装置３５のスイッチ部３５ｂを押し込むことができる保持箇所４６を形成するものであればよく、上記した実施例に限定されるものではない。
【００９３】
上記した実施例では、デジタルカメラ１０に押下スイッチ機構３０が設けられていたが、ＰＤＡ（ｐｅｒｓｏｎａｌ  ｄａｔａ  ａｓｓｉｓｔａｎｔ）や携帯電話機等の携帯型情報端末装置や画像入力装置のような電子機器に搭載されていてもよく、上記した実施例に限定されるものではない。これは、このような電子機器もデジタルカメラ１０と同様に押下操作される操作ボタンを有していることによる。
【００９４】
以上、本発明の押下スイッチ機構、およびその押下スイッチ機構が設けられた撮像装置（電子機器）を実施例に基づき説明してきたが、具体的な構成については実施例に限られるものではなく、本発明の要旨を逸脱しない限り、設計の変更や追加等は許容される。
【符号の説明】
【００９５】
１０  （撮像装置の一例としての）デジタルカメラ
１４  （押下スイッチ機構により構成される操作ボタンの一例としての）電源ボタン
３０  押下スイッチ機構
３３  操作ボタン
３４  （回路基板の一例としての）スイッチ基板
３５  スイッチ装置
３５ｂ  スイッチ部
３６  保持部材
３７  発光素子
３７ａ  （発光面を構成する）発光部
３７ｂ  側壁面
３７ｄ  第１端子
３７ｅ  第２端子
４２  （第１パターンの一例としての）第１発光素子用回路パターン
４３  （第２パターンの一例としての）第２発光素子用回路パターン
４４  第１板ばね部材
４４ｃ  （第１突出端の一例としての）第１支持部
４４ｄ  第１並列部分
４４ｅ  第１連結部分
４４ｆ  第１接触部分
４４ｉ  押圧突起
４５  第２板ばね部材
４５ｃ  （第２突出端の一例としての）第２支持部
４５ｄ  第２並列部分
４５ｅ  第２連結部分
４５ｆ  第２接触部分
４６  保持箇所
４７  点灯窓
４８  透過部材
４８ｃ  対向面
４９  取付凹所
【先行技術文献】
【特許文献】
【００９６】
【特許文献１】特開２０００−２３５８１９号公報
【図１】
0005929254.tif 000002
【図２】
0005929254.tif 000003
【図３】
0005929254.tif 000004
【図４】
0005929254.tif 000005
【図５】
0005929254.tif 000006
【図６】
0005929254.tif 000007
【図７】
0005929254.tif 000008
【図８】
0005929254.tif 000009
【図９】
0005929254.tif 000010
【図１０】
0005929254.tif 000011
【図１１】
0005929254.tif 000012